(57)【要約】【課題】上半身施術時に被施術者の下半身を、下半身施術時に被施術者の上半身を、それぞれ包み込むこと等による部分的な加熱を行えるようにすることにより、効果的な美容施術を行うことができるようにした美容用ヒートマットを提供すること。【解決手段】敷きマット１に連設した掛けマット２を側部で折り返すことで被施術者Ｃの頭部を除いた身体を包み込むようにするとともに、掛けマット２を上半身被覆部２１と下半身被覆部２２とに２分割し、上半身施術時に被施術者Ｃの下半身を、下半身施術時に被施術者Ｃの上半身を、それぞれ包み込むことができるようにする。【選択図】図１
0003119257.tif 000002
【実用新案登録請求の範囲】
【請求項１】
敷きマットに連設した掛けマットを側部で折り返すことで被施術者の頭部を除いた身体を包み込むようにした美容用ヒートマットにおいて、前記掛けマットを少なくとも上半身被覆部と下半身被覆部とに２分割し、上半身施術時に被施術者の下半身を、下半身施術時に被施術者の上半身を、それぞれ包み込むことができるようにしたことを特徴とする美容用ヒートマット。
【請求項２】
掛けマットの端縁部に被施術者の体型に応じて敷きマットに対する係着位置を変えることができる係着手段を配設したことを特徴とする請求項１記載の美容用ヒートマット。
【請求項３】
掛けマットの分割位置に隙間からの熱の放散を防止する分割位置カバーシートを配設したことを特徴とする請求項１又は２記載の美容用ヒートマット。
【請求項４】
敷きマットの下端縁に足部カバーシートを付設したことを特徴とする請求項１、２又は３記載の美容用ヒートマット。
【考案の詳細な説明】
【技術分野】
【０００１】
本考案は、美容用ヒートマットに関し、特に、上半身施術時に美容施術を受ける人（本明細書において、「被施術者」という。）の下半身を、下半身施術時に被施術者の上半身を、それぞれ包み込むこと等による部分的な加熱を行えるようにすることにより、効果的な美容施術を行うことができるようにした美容用ヒートマットに関するものである。
【背景技術】
【０００２】
従来、美容痩身等の美容施術に用いる美容用ヒートマットは、頭部を除く被施術者の身体全体を包み、美容に適した温度に加温し、発汗作用と必要に応じて身体に塗布した薬剤の浸透を促し、美容痩身等の美容施術を行うようにしている（例えば、特許文献１参照）。
【０００３】
より具体的には、従来の美容用ヒートマットにおいては、被施術者の身体全体を美容用ヒートマットにて包み、所定温度、特に限定されるものではないが、例えば、２５℃〜４０℃の範囲で加熱した後、美容用ヒートマットを開放して、上半身から下半身へと、或いは下半身から上半身へとマッサージ等を施して美容施術を行うようにしている。
【０００４】
しかしながら、施術に際して被施術者を予め適正な温度に加熱しておいても、上半身又は下半身のいずれかを施術している間に、施術していない半身側身体の温度が低下するため、十分に効果的な美容施術を行うことができないという問題があった。
この施術していない側の半身側の温度が低下するのを防止するために、加熱時にこの温度低下分を含めて加熱するようにすることも考えられるが、この場合は被施術者に不必要な加熱により不快感を与えるという問題があった。
さらには、被施術者によっては、身体全体ではなく、上半身或いは下半身の特定の箇所に美容施術を行うことを希望する場合があるが、このようなときにも、上半身或いは下半身のみを加熱することができないため、被施術者に不必要な加熱により不快感を与えるという問題があった。
【特許文献１】特開平９−１８７４８５号公報
【考案の開示】
【考案が解決しようとする課題】
【０００５】
本考案は、上記従来の美容用ヒートマットの有する問題点に鑑み、上半身施術時に被施術者の下半身を、下半身施術時に被施術者の上半身を、それぞれ包み込むこと等による部分的な加熱を行えるようにすることにより、効果的な美容施術を行うことができるようにした美容用ヒートマットを提供することを目的とする。
【課題を解決するための手段】
【０００６】
上記目的を達成するため、本考案の美容用ヒートマットは、敷きマットに連設した掛けマットを側部で折り返すことで被施術者の頭部を除いた身体を包み込むようにした美容用ヒートマットにおいて、前記掛けマットを少なくとも上半身被覆部と下半身被覆部とに２分割し、上半身施術時に被施術者の下半身を、下半身施術時に被施術者の上半身を、それぞれ包み込むことができるようにしたことを特徴とする。
【０００７】
この場合において、掛けマットの端縁部に被施術者の体型に応じて敷きマットに対する係着位置を変えることができる係着手段を配設することができる。
【０００８】
また、掛けマットの分割位置に隙間からの熱の放散を防止する分割位置カバーシートを配設することができる。
【０００９】
また、敷きマットの下端縁に足部カバーシートを付設することができる。
【考案の効果】
【００１０】
本考案の美容用ヒートマットによれば、敷きマットに連設した掛けマットを側部で折り返すことで被施術者の頭部を除いた身体を包み込むようにした美容用ヒートマットにおいて、前記掛けマットを少なくとも上半身被覆部と下半身被覆部とに２分割し、上半身施術時に被施術者の下半身を、下半身施術時に被施術者の上半身を、それぞれ包み込むことができるようにしたことから、上半身施術時に被施術者の下半身を、下半身施術時に被施術者の上半身を、それぞれ包み込むこと等による部分的な加熱を行えるようにすることにより、効果的な美容施術を行うことができる。
【００１１】
また、掛けマットの端縁部に被施術者の体型に応じて敷きマットに対する係着位置を変えることができる係着手段を配設することにより、被施術者の体型にかかわらず隙間を生じることなく確実に被施術者の身体を包み込んで適正な加熱を効果的に行うことができる。
【００１２】
また、掛けマットの分割位置に隙間からの熱の放散を防止する分割位置カバーシートを配設することにより、適正な加熱を効果的に行うことができる。
【００１３】
また、敷きマットの下端縁に足部カバーシートを付設することにより、被施術者の足部の隙間からの熱の放散を防止して、適正な加熱を効果的に行うことができる。
【考案を実施するための最良の形態】
【００１４】
以下、本考案の美容用ヒートマットの実施の形態を、図面に基づいて説明する。
図１〜図７に、本考案の美容用ヒートマットの一実施例を示す。
【００１５】
この美容用ヒートマットＭは、図１〜図４に示すように、敷きマット１に連設した掛けマット２を側部で折り返すことで被施術者Ｃの頭部を除いた身体を包み込むようにしたもので、掛けマット２を、例えば、その上下方向の略中央部位置にて横方向に分断することによって、少なくとも上半身被覆部２１と下半身被覆部２２とに２分割し（必要に応じて、さらに分割することもできる。）、上半身施術時に被施術者Ｃの下半身を、下半身施術時に被施術者Ｃの上半身を、それぞれ包み込むことができるようにしている。
【００１６】
これにより、上半身施術時に被施術者の下半身を、下半身施術時に被施術者の上半身を、それぞれ包み込むこと等による部分的な加熱を行えるようになり、効果的な美容施術を行うことができる。
【００１７】
この場合において、美容用ヒートマットＭは、特許文献１に開示しているのと同様に、外表面を着脱可能なカバーＭＣで覆うようにし、敷きマット１及び掛けマット２には、ヒータ線又は面状ヒータからなる加熱手段３を内蔵するようにする。
この加熱手段３は、特に限定されるものではないが、例えば、図２に示すように、上半身加熱手段３Ａと下半身加熱手段３Ｂとに分割して構成し、上半身加熱手段３Ａには上半身加熱用ヒータ線３１を、下半身加熱手段３Ｂには下半身加熱用ヒータ線３２を、それぞれ独立して通電できるように配線する（加熱手段３として面状ヒータを用いる場合も同様。）ことにより、部分的な加熱を行えるようにしている。
なお、加熱手段３の配線方法は、これに限定されず、例えば、敷きマット１側の上半身加熱手段３Ａ、掛けマット２側の上半身加熱手段３Ａ、敷きマット１側の下半身加熱手段３Ｂ及び掛けマット２側の下半身加熱手段３Ｂを、それぞれ独立して通電できるように配線することもできる。
【００１８】
また、この美容用ヒートマットＭは、敷きマット１に連設した掛けマット２を側部で折り返すことで被施術者Ｃの頭部を除いた身体を包み込むようにしたものであるが、その際、被施術者Ｃの体型にかかわらず隙間を生じることなく確実に被施術者Ｃの身体を包み込んで適正な加熱を効果的に行うことができるように、掛けマット２の端縁部に被施術者Ｃの体型に応じて敷きマット１に対する係着位置を変えることができるホック片や面ファスナ等の係着手段を配設するようにする。
ところで、本実施例の美容用ヒートマットＭは、カバーＭＣで覆うようにしており、カバーＭＣで覆った状態では、カバーＭＣと、敷きマット１及び掛けマット２とは、実質的に一体となるため、ここでは、敷きマット１及び掛けマット２は、カバーＭＣで覆った状態を前提として説明することとする（例えば、上記係着手段は、敷きマット１及び掛けマット２に対応する位置のカバーＭＣに配設されるが、本明細書においては、分かりやすくするために、敷きマット１及び掛けマット２として説明する。）。
この係着手段は、具体的には、敷きマット１及び掛けマット２の端縁部の内面に、それぞれ配設したホック片４１、４２と、掛けマット２の端縁部の内面に沿って延設した縁部カバーシート４０と、縁部カバーシート４０の上下面に配設した、ホック片４１、４２に対応するホック片４３、４４とで構成するようにしている。
これにより、被施術者Ｃが標準体型の場合には、図５（Ａ）に示すように、ホック片４１とホック片４３、ホック片４２とホック片４４を、互いに係着するようにする。
一方、被施術者Ｃが肥満体型の場合には、図５（Ｂ）に示すように、ホック片４１とホック片４３のみを係着することにより、縁部カバーシート４０によって敷きマット１と掛けマット２との間に隙間を生じることがないようにして熱の放散を防止するようにしながら、確実に被施術者Ｃの身体を包み込んで適正な加熱を効果的に行うことができるようにする。
【００１９】
また、図６に示すように、掛けマット２の分割位置に隙間からの熱の放散を防止する分割位置カバーシート５を配設することにより、適正な加熱を効果的に行うことができるようにする。
この分割位置カバーシート５は、具体的には、上半身被覆部２１の下端縁又は下半身被覆部２２の上端縁のいずれか一方に、掛けマット２の分割位置に延設するように配設し、分割位置を上から覆うようにする。
なお、必要に応じて、分割位置カバーシート５の自由端側の端縁にホック片や面ファスナ等の係着手段を配設するようにすることもできる。
【００２０】
また、図７に示すように、敷きマット１の下端縁に足部カバーシート６を付設することにより、被施術者の足部の隙間からの熱の放散を防止して、適正な加熱を効果的に行うことができる。
この足部カバーシート６は、具体的には、敷きマット１の下端縁に付設した足部カバーシート６によって、敷きマット１上に臥した被施術者Ｃの足のつま先を覆い、その上から掛けマット２で身体を包み込むようにする。
【００２１】
次に、本実施例の美容用ヒートマットの作用について説明する。
美容用ヒートマットＭを、図１に示すように、展開してその敷きマット１上に被施術者Ｃが臥すようにした後、敷きマット１上に掛けマット２を折り返して被施術者Ｃの上を覆うようにする。この際、被施術者Ｃには必要に応じて薬剤を塗布するものとする。
この折り返し掛けマット２にて被施術者Ｃを覆うようにする際、敷きマット１の下端縁に突設した足部カバーシート６を折り返して被施術者Ｃの足のつま先を覆うようにする。これにより、折り返した足部カバーシート６の上方を掛けマット２にて覆うようになり、足部からの熱の放散が防止され、また、折り返した掛けマット２の端縁部と敷きマット１の端縁部とが、図５に示すように、縁部カバーシート４０にて覆われるようになり、両端縁部の開口された隙間からの熱の放散が防止されるとともに、ホック片４１、４２、４３、４４の係着にて、被施術者Ｃを包み込むようにした敷きマット１と掛けマット２の端縁部が係着される。
【００２２】
この状態で、敷きマット１及び掛けマット２に配設した加熱手段３に通電することで、被施術者Ｃは適度の温度に加熱される。
このとき、掛けマット２の分割位置は、分割位置カバーシート５にて覆うようにしているので、隙間からの熱の放散が防止され、効果的に被施術者Ｃを加熱することができる。
【００２３】
被施術者Ｃが適度の温度に加熱された後、特に限定されるものではないが、例えば、上半身からマッサージ等の美容施術する場合、掛けマット２の上半身被覆部２１に該当するホックを外して上半身被覆部２１を開くことで、敷きマット１上に臥した被施術者Ｃの上半身は露出されるものとなる。この状態で被施術者Ｃの上半身に対して必要な美容施術を行う。なお、この場合、被施術者の下半身は、敷きマット１及び下半身被覆部２２にて覆われているので、引き続き適正な加熱が行われる。
【００２４】
上半身に対する必要な美容施術を行った後、次に、敷きマット１と下半身被覆部２２とのホックによる係着を解き、被施術者Ｃの下半身は露出されるものとなり、この状態で下半身の美容痩身施術を行う。この下半身の美容痩身施術時、必要に応じて、上半身被覆部２１を折り返して再び被施術者の上半身を覆うとともに、通電にて上半身を加熱し、再び必要な上半身の美容施術を行うこともできる。
【００２５】
この被施術者Ｃの上半身と下半身との加熱は、上半身加熱用ヒータ線３１及び下半身加熱用ヒータ線３２の電気回路の選択的な切り替え操作にて行うようにすることもできる。
なお、上半身と下半身の美容施術は、特に限定されるものではないが、例えば、その施術方法により１回のみとすることも、交互に複数回繰り返して行うこともできる。
【００２６】
以上、本考案の美容用ヒートマットについて、その実施例に基づいて説明したが、本考案は上記実施例に記載した構成に限定されるものではなく、その趣旨を逸脱しない範囲において適宜その構成を変更することができるものである。
【産業上の利用可能性】
【００２７】
本考案の美容用ヒートマットは、上半身施術時に被施術者の下半身を、下半身施術時に被施術者の上半身を、それぞれ包み込むこと等による部分的な加熱を行えるようにすることにより、効果的な美容施術を行うことができることから、美容用ヒートマットの用途に好適に用いることができる。
【図面の簡単な説明】
【００２８】
【図１】本考案の美容用ヒートマットの一実施例を示す展開図である。
【図２】同加熱手段の一例を示す展開図である。
【図３】上半身加熱状態を示す平面図である。
【図４】下半身加熱状態を示す平面図である。
【図５】敷きマットと掛けマットとの係着状態を示す説明図で、（Ａ）は被施術者が標準体型の場合を示し、（Ｂ）は被施術者が肥満体型の場合を示す。
【図６】分割位置カバーシートの説明図である。
【図７】足部カバーシートの説明図である。
【符号の説明】
【００２９】
Ｍ    美容用ヒートマット
ＭＣ  カバー
１    敷きマット
２    掛けマット
２１  上半身被覆部
２２  下半身被覆部
３    加熱手段
３１  上半身加熱用ヒータ線
３２  下半身加熱用ヒータ線
３Ａ  上半身加熱手段
３Ｂ  下半身加熱手段
４０  縁部カバーシート
４１、４２、４３、４４  ホック片
５    分割位置カバーシート
６    足部カバーシート
【図１】
0003119257.tif 000003
【図２】
0003119257.tif 000004
【図３】
0003119257.tif 000005
【図４】
0003119257.tif 000006
【図５】
0003119257.tif 000007
【図６】
0003119257.tif 000008
【図７】
0003119257.tif 000009